(57)【要約】      （修正有）【課題】ネットワーク間でローミングするためのモバイル制御チャネルの使用を提供すること。【解決手段】モバイル・ネットワークと無線ネットワークの間でローミングする方法が、無線ネットワークを検出するステップと、無線ネットワークにモバイル装置のインターネット・プロトコル・アドレスについて照会するステップとを含む。インターネット・プロトコル・アドレスが受信され得る。したがって、メッセージは、モバイル・ネットワーク制御チャネルを使用して、モバイル・ネットワークの移動交換局に送信され得る。このメッセージは、移動交換局に、モバイル装置向けの音声データを、通信可能にリンクされたゲートウェイおよび無線ネットワークを介して、インターネット・プロトコル・アドレスに経路指定するように命令することができる。【選択図】図１
2005184808.tif 000002
【特許請求の範囲】
【請求項１】
モバイル・ネットワークと無線ネットワークの間でローミングする方法であって、
無線ネットワークを検出するステップと、
前記無線ネットワークに、モバイル装置のインターネット・プロトコル・アドレスについて照会するステップと、
前記インターネット・プロトコル・アドレスを受信するステップと、
モバイル・ネットワーク制御チャネルを使用して、前記モバイル・ネットワークの移動交換局にメッセージを送信するステップであって、前記メッセージが、前記移動交換局に、前記モバイル装置向けの音声データを、通信可能にリンクされたゲートウェイおよび前記無線ネットワークを介して、前記インターネット・プロトコル・アドレスに経路指定するように命令するステップとを含む方法。
【請求項２】
前記無線ネットワークを介して前記ゲートウェイから、音声データを受信するステップをさらに含む、請求項１に記載の方法。
【請求項３】
前記モバイル装置向けの音声データを、前記通信可能にリンクされたゲートウェイおよび前記無線ネットワークを介して、前記インターネット・プロトコル・アドレスに経路指定するように、前記移動交換局を構成するステップをさらに含む、請求項１に記載の方法。
【請求項４】
前記検出ステップの前に、前記モバイル装置が別の無線ネットワークと通信する、請求項１に記載の方法。
【請求項５】
モバイル・ネットワークと無線ネットワークの間でローミングする方法であって、
無線ネットワークを介して通信するステップと、
モバイル装置が前記無線ネットワークのカバレージ・エリア外でローミングしていることを検出するステップと、
モバイル・ネットワーク制御チャネルを使用して、モバイル・ネットワークの移動交換局にメッセージを送信するステップであって、前記メッセージが前記移動交換局に、少なくとも１つのモバイル音声チャネルを使用して、前記モバイル装置向けの音声データを、前記モバイル装置に経路指定するように命令するステップとを含む方法。
【請求項６】
前記モバイル・ネットワークを介して前記移動交換局から、音声データを受信するステップをさらに含む、請求項５に記載の方法。
【請求項７】
前記モバイル装置向けの音声データを、前記少なくとも１つのモバイル音声チャネルを介して、前記モバイル装置に経路指定するように、前記移動交換局を構成するステップをさらに含む、請求項５に記載の方法。
【請求項８】
モバイル・ネットワークと無線ネットワークの間のローミングのためのシステムであって、
無線ネットワークを検出する手段と、
前記無線ネットワークに、モバイル装置のインターネット・プロトコル・アドレスについて照会する手段と、
前記インターネット・プロトコル・アドレスを受信する手段と、
モバイル・ネットワーク制御チャネルを使用して、前記モバイル・ネットワークの移動交換局にメッセージを送信する手段であって、前記メッセージが、前記移動交換局に、前記モバイル装置向けの音声データを、通信可能にリンクされたゲートウェイおよび前記無線ネットワークを介して、前記インターネット・プロトコル・アドレスに経路指定するように命令する手段とを含むシステム。
【請求項９】
前記無線ネットワークを介して前記ゲートウェイから、音声データを受信する手段をさらに含む、請求項８に記載のシステム。
【請求項１０】
前記モバイル装置向けの音声データを、前記通信可能にリンクされたゲートウェイおよび前記無線ネットワークを介して、前記インターネット・プロトコル・アドレスに経路指定するように、前記移動交換局を構成する手段をさらに含む、請求項８に記載のシステム。
【請求項１１】
前記検出手段の操作の前に、前記モバイル装置が別の無線ネットワークと通信する、請求項８に記載のシステム。
【請求項１２】
モバイル・ネットワークと無線ネットワークの間のローミングのためのシステムであって、
無線ネットワークを介して通信する手段と、
装置が前記無線ネットワークのカバレージ・エリア外でローミングしていることを検出する手段と、
モバイル・ネットワーク制御チャネルを使用して、モバイル・ネットワークの移動交換局にメッセージを送信する手段であって、前記メッセージが、前記移動交換局に、少なくとも１つのモバイル音声チャネルを使用して、前記モバイル装置向けの音声データを、前記モバイル装置に経路指定するように命令する手段とを含むシステム。
【請求項１３】
前記モバイル・ネットワークを介して前記移動交換局から、音声データを受信する手段をさらに含む、請求項１２に記載のシステム。
【請求項１４】
前記モバイル装置向けの音声データを、前記少なくとも１つのモバイル音声チャネルを介して、前記モバイル装置に経路指定するように、前記移動交換局を構成するステップをさらに含む、請求項１２に記載のシステム。
【請求項１５】
無線ネットワークを検出するステップと、
前記無線ネットワークに、モバイル装置のインターネット・プロトコル・アドレスについて照会するステップと、
前記インターネット・プロトコル・アドレスを受信するステップと、
モバイル・ネットワーク制御チャネルを使用して、モバイル・ネットワークの移動交換局にメッセージを送信するステップであって、前記メッセージが、前記移動交換局に、前記モバイル装置向けの音声データを、通信可能にリンクされたゲートウェイおよび前記無線ネットワークを介して、前記インターネット・プロトコル・アドレスに経路指定するように命令するステップとをマシンに実施させる、マシンによって実行可能な複数のコード・セクションを含むコンピュータ・プログラムが格納されたマシン可読記憶装置。
【請求項１６】
前記無線ネットワークを介して前記ゲートウェイから、音声データを受信するステップをさらに含む、請求項１５に記載のマシン可読記憶装置。
【請求項１７】
前記モバイル装置向けの音声データを、前記通信可能にリンクされたゲートウェイおよび前記無線ネットワークを介して、前記インターネット・プロトコル・アドレスに経路指定するように、前記移動交換局を構成するステップをさらに含む、請求項１５に記載のマシン可読記憶装置。
【請求項１８】
前記検出ステップの前に、前記モバイル装置が別の無線ネットワークと通信する、請求項１５に記載のマシン可読記憶装置。
【請求項１９】
無線ネットワークを介して通信するステップと、
モバイル装置が前記無線ネットワークのカバレージ・エリア外でローミングしていることを検出するステップと、
モバイル・ネットワーク制御チャネルを使用して、モバイル・ネットワークの移動交換局にメッセージを送信するステップであって、前記メッセージが、前記移動交換局に、少なくとも１つのモバイル音声チャネルを使用して、前記モバイル装置向けの音声データを、前記モバイル装置に経路指定するように命令するステップとをマシンに実施させる、マシンによって実行可能な複数のコード・セクションを含むコンピュータ・プログラムが格納されたマシン可読記憶装置。
【請求項２０】
前記モバイル・ネットワークを介して前記移動交換局から、音声データを受信するステップをさらに含む、請求項１９に記載のマシン可読記憶装置。
【請求項２１】
前記モバイル装置向けの音声データを、前記少なくとも１つのモバイル音声チャネルを介して、前記モバイル装置に経路指定するように、前記移動交換局を構成するステップをさらに含む、請求項１９に記載のマシン可読記憶装置。
【発明の詳細な説明】
【技術分野】
【０００１】
本発明は、モバイル通信の分野に関し、より詳細には、モバイル・ネットワークに関連して、無線ネットワーキングを使用することに関する。
【背景技術】
【０００２】
無線ネットワークは、米国、ヨーロッパ、およびアジア全体にわたって何千ものいわゆるホット・スポットが展開されるのにつれて、ますます普及しつつある。ホット・スポットは、装置がアクセス・ポイントと無線で通信することができる、無線アクセス・ポイントを囲むカバレージ・エリアを指す。そのアクセス・ポイントは一般に、無線トランシーバを含み、またインターネットなどのパケット交換通信網に接続される。したがって、アクセス・ポイントは、アクセス・ポイントと無線通信リンクを確立することができる装置に、ネットワーク接続を提供する。ホット・スポットまたは無線ネットワークの例には、８０２．１１、８０２．１６、８０２．２０および８０２．１５など８０２無線通信プロトコルのうちの１つをもとに構築されたものが含まれ得る。
【０００３】
ユーザは、通信ネットワークとの接続を維持しながら、限られた数のホット・スポット間でローミングすることが可能であり得るが、ほとんどの無線ネットワークが、まだ互いに接続されていない。しばしば、ユーザは、ある８０２．ｘｘネットワークから別の８０２．ｘｘネットワークに、シームレスにローミングすることができない。こうした無線ネットワークは、データ・ネットワークとして主に機能し、モバイル通信ネットワークとは独立に維持される。通常の場合、音声通信は、こうしたネットワークを介して運ばれない。したがって、モバイル・ネットワークの音声機能は、無線ネットワークにまだ組み込まれていない。共通の請求処理および管理、具体的には登録、認証などが欠如していることも同様に、制約になっている。
【発明の開示】
【発明が解決しようとする課題】
【０００４】
ローミング時に、共通の体験、サポートおよび請求処理を提供するやり方が求められている。
【課題を解決するための手段】
【０００５】
本発明は、モバイル通信装置のユーザが、モバイル・ネットワークと無線ネットワークの間をローミングできるようにするための方法、システムおよび装置を提供する。具体的には、本発明は、モバイル通信装置が、モバイル・ネットワーク制御チャネルを使用して、移動交換局に、モバイル通信装置向けの音声データがどのように経路指定されるべきかについて通知する。特に、本明細書で開示する本発明の構成は、「モバイルＩＰアドレス指定」を必要としない。これは、モバイルＩＰサーバ上での潜在的な輻輳を取り除くことによって、スケーラビリティを向上させる。
【０００６】
本発明のある態様は、モバイル・ネットワークと無線ネットワークの間でローミングする方法を含み得る。この方法は、無線ネットワークを検出するステップと、無線ネットワークにモバイル装置のインターネット・プロトコル・アドレスについて照会するステップと、インターネット・プロトコル・アドレスを受信するステップとを含み得る。この方法はさらに、モバイル・ネットワーク制御チャネルを使用して、モバイル・ネットワークの移動交換局に、メッセージを送信するステップを含み得る。このメッセージは、移動交換局に、モバイル装置向けの音声データを、通信可能にリンクされたゲートウェイおよび無線ネットワークを介して、インターネット・プロトコル・アドレスに経路指定するように命令する。
【０００７】
移動交換局は、モバイル装置向けの音声データを、通信可能にリンクされたゲートウェイおよび無線ネットワークを介して、インターネット・プロトコル・アドレスに経路指定するように構成され得る。この方法は、無線ネットワークを介してゲートウェイから、音声データを受信するステップをも含み得る。
【０００８】
別の実施形態では、モバイル装置は、検出ステップの前に、別の無線ネットワークまたはモバイル・ネットワークと通信し得る。
【０００９】
本発明の別の態様は、無線ネットワークを介して通信するステップと、モバイル装置が無線ネットワークのカバレージ・エリア外でローミングしていることを検出するステップと、モバイル・ネットワーク制御チャネルを使用して、モバイル・ネットワークの移動交換局にメッセージを送信するステップとを含む、モバイル・ネットワークと無線ネットワークの間でローミングする方法を含み得る。このメッセージは、移動交換局に、少なくとも１つのモバイル音声チャネルを使用して、モバイル装置向けの音声データを、モバイル装置に経路指定するように命令し得る。
【００１０】
したがって、移動交換局は、少なくとも１つのモバイル音声チャネルを介して、モバイル装置向けの音声データを、モバイル装置に経路指定するように構成され得る。この方法はさらに、モバイル・ネットワークを介して、移動交換局から音声データを受信するステップを含み得る。
【００１１】
本発明は、本明細書に開示する様々なステップを実施する手段を含むシステム、ならびに本明細書で述べる様々なステップをマシンに実施させることができる、マシン可読記憶装置として実施することもできる。
【００１２】
図面に、現在好まれる実施形態を示すが、しかし、本発明は、図示する厳密な構成および手段に限定されないことが理解されよう。
【発明を実施するための最良の形態】
【００１３】
図１に、１つまたは複数のモバイル通信ネットワーク（モバイル・ネットワーク）と無線通信ネットワーク（無線ネットワーク）の間でローミングするための、本明細書で開示する本発明の構成によるシステム１００を示す概略図である。図示するように、システム１００は、１つまたは複数の無線ネットワーク１０５、１つまたは複数のモバイル・ネットワーク１２５、公衆交換電話網（ＰＳＴＮ：Public Switched Telephone networks）１４５、およびインターネット１７０などのパケット交換網を含み得る。
【００１４】
無線ネットワーク１０５は、それだけに限らないが、８０２．１１、８０２．１６、８０２．２０または８０２．１５無線通信プロトコルのうちの１つまたはそれらの考え得る組合せの１つを含めて、任意の適切な８０２．ｘｘ通信プロトコルに準拠する無線ネットワークであり得る。たとえば、無線ネットワークは、８０２．１１ａ、ｂ、ｇまたは８０２．１５．３無線通信プロトコルに従って構成され得る。したがって、無線ネットワーク１０５は、１つまたは複数のアクセス・ポイント１１０および１１５を含み得る。
【００１５】
アクセス・ポイント１１０および１１５はそれぞれ、８０２．ｘｘ無線接続を介して通信することができる１つまたは複数のモバイル通信装置、たとえばモバイル通信装置１７５と通信するための無線トランシーバを含み得る。アクセス・ポイント１１０および１１５はそれぞれ、インターネット１７０との有線接続をさらに含み得る。したがって、アクセス・ポイント１１０および１１５はそれぞれ、８０２．ｘｘ通信プロトコルを介して通信する無線またはモバイル通信装置と、インターネット１７０などのパケット交換網との間のインターフェースとして働くように構成される。無線ネットワーク１０５は、モバイル通信装置１７５が、無線ボイス・オーバ・インターネット・プロトコル（ＶＯＩＰ：Voice Over Internet Protocol）チャネル、または他の無線通信リンクを介して通信することができる、カバレージ・エリア１２０を有し得る。
【００１６】
モバイル・ネットワーク１２５は、それだけに限らないが、従来のセルラ電話ネットワーク、または個人通信サービス（ＰＣＳ：Personal Communication Service）ネットワーク（以下、「モバイル・ネットワーク」と称する）を含めて、様々な異なる無線電話ネットワークのうちのいずれかであり得る。モバイル・ネットワーク１２５は、１つまたは複数のモバイル・データ基地局（ＭＤＢＳ：MobileData Base Stations）１３０、および移動交換局（ＭＳＣ：Mobile Switching Center）１３５を含み得る。図示するように、モバイル・ネットワーク１２５は、モバイル通信装置１７５が、音声チャネルまたはモバイル・ネットワーク制御チャネルあるいはその両方を介して、ＭＤＢＳ１３０と無線で通信することができる、カバレージ・エリア１４０を有し得る。
【００１７】
ＭＤＢＳ１３０は、モバイル通信装置１７５などの無線装置に通信を送信し、またそこから通信を受信することができる。たとえば、ＭＤＢＳ１３０は、モバイル通信装置１７５と無線で通信するためのタワー（図示せず）を含み得る。タワーは、タワーからのデータ・ストリームを有効な信号に変換し、またセルラ（またはモバイル）交換されたデータ・コールをＭＳＣ１３５または別のモバイル宛先あるいはその両方に経路指定するための、ＭＤＢＳ１３０内のハードウェア、およびいずれの必要なソフトウェアとも、通信可能にリンクされ得る。ＭＤＢＳ１３０は、モバイル・ネットワーク側から、モバイル通信装置１７５の無線インターフェースを管理し、それにアクセスする。
【００１８】
ＭＳＣ１３５は、あるネットワーク・パスから別のネットワーク・パスに、デジタル音声データ・パケットを交換することによって、通話を接続するためのハードウェア、およびいずれの必要なソフトウェアをも含む。ＭＳＣ１３５は事実上、ＭＤＢＳ１３０、ＰＳＴＮ１４５および／またはインターネット１７０の間の通話を経路指定する。さらに、ＭＳＣ１３５は、ユーザ登録、認証、および位置更新などの情報を提供することができる。
【００１９】
システム１００はさらに、ゲートウェイ１８０を含み得る。ゲートウェイ１８０は、モバイル・ネットワーク１２５とインターネット１７０の間のインターフェースの働きをするためのハードウェア、およびいずれの必要なソフトウェアをも含み得る。しかし、ゲートウェイ１８０は、ＰＳＴＮ１４５とのインターフェースとして働くようにも構成され得ることを理解されたい。ゲートウェイ１８０は、インターネット１７０とのインターフェースとして働くことができるが、ゲートウェイ１８０は、広域エリア・ネットワーク、ローカル・エリア・ネットワーク、イントラネットなどの他のパケット交換網（図示せず）に対するインターフェースとして使用することもできる。
【００２０】
いずれにせよ、ゲートウェイ１８０は、モバイル・ネットワーク１２５またはインターネット１７０から受信されたデータを、ネットワークのうちの異なるネットワークを介して送信するために、形式変換することができる。たとえば、ゲートウェイ１８０は、モバイル・ネットワーク１２５上で使用するためにフォーマットされたデータ、およびインターネット１７０上で使用するためにパケット交換されたデータを受信することができる。インターネット１７０および他のパケット交換網に関して、ゲートウェイ１８０は、こうしたネットワーク上で通話を実施するために、ボイス・オーバ・インターネット・プロトコル（ＶＯＩＰ：Voice Over Internet Protocol）の形式にフォーマットされたデータを送受信することができる。ゲートウェイ１８０は、ある形式から別の形式にデータを変換することができるので、モバイル・ネットワーク１２５とインターネット１７０の間で、データが自由に交換され得る。
【００２１】
ゲートウェイ１８０は、モバイル・ネットワーク１２５とは別々に位置するように示されているが、ゲートウェイ１８０は、そのように配置される必要はなく、ゲートウェイ１８０は、インターネット１７０またはモバイル・ネットワーク１２５の一部として含めることもできる。
【００２２】
ＰＳＴＮ１４５は、サービス交換ポイント（ＳＳＰ：Service SwitchingPoints）１５０および１５５、信号転送ポイント（ＳＴＰ：Signal Transfer Point）１６０および１６５、ならびに１つまたは複数の交換システム（図示せず）を含み得る。ＳＳＰ１５０および１５５は、交換システムＮｏ．７（ＳＳ７：SwitchingSystem No.7）通信リンクによって相互接続される電話交換機である。ＳＳＰ１５０および１５５は、それぞれの個別の場所で、生起し、タンデムし（tandem）、または終了する呼について、呼処理を実施する。ＳＳＰ１５０および１５５は、通話関連の情報を、他のＳＳＰ（図示せず）に転送し、またはサービス制御ポイント（図示せず）に、経路指定命令について照会するために、ＳＳ７メッセージを生成し得る。ＳＴＰ１６０および１６５は、ネットワーク・スイッチとデータベースの間で、メッセージを中継する交換機である。ＳＴＰ１６０および１６５は、ＳＳ７メッセージのアドレス・フィールドに基づいて、正確な発信信号リンクにＳＳ７メッセージを経路指定することができる。
【００２３】
モバイル通信装置１７５は、モバイル・ネットワーク１２５および無線ネットワーク１０５を介して通信するように構成することができる。モバイル通信装置１７５は、モバイル・ネットワークと無線ネットワークの両方を介して通信するための無線トランシーバを含み得る。さらに、モバイル通信装置１７５は、それぞれのネットワークから受信される信号の電力を測定し、それぞれの個別のネットワークに送信される信号の送信強度を変更するように構成することができる。本発明の一実施形態では、モバイル通信装置１７５は、携帯電話として実施することができる。しかし、本明細書で説明するように構成された任意の通信装置が使用され得ることが当業者には理解されよう。
【００２４】
図２は、本明細書に開示する本発明の構成による、モバイル・ネットワークと無線ネットワークの間でローミングする方法２００を示すフローチャートである。方法２００は、モバイル通信装置がモバイル・ネットワークのカバレージ・エリア内に存在し、無線ネットワークのカバレージ・エリア内でローミングするという状態で開始し得る。したがって、方法は、モバイル通信装置が無線ネットワークを検出する、ステップ２０５で開始し得る。
【００２５】
ステップ２１０で、無線装置は、無線通信リンクを介して無線ネットワークに、インターネット・プロトコル（ＩＰ：Internet Protocol）アドレスについて照会することができる。つまり、無線装置は、無線アクセス・ポイントを介して、ＩＰアドレスを要求する無線メッセージを送信し得る。ＩＰアドレスは、動的ホスト構成プロトコルなどの標準のインターネット・プロトコルを使用して割り当てられる。ステップ２１５で、無線装置は、無線通信リンクを介して無線ネットワークから割り当てられたＩＰアドレスを受信することができる。
【００２６】
ステップ２２０で、モバイル通信装置は、モバイル・ネットワークのＭＳＣに、メッセージを送信する。このメッセージは、モバイル・ネットワーク制御チャネルを介して無線で送信される。このメッセージは、無線ネットワークによって割り当てられたＩＰアドレスを指示し、さらにＭＳＣに、モバイル通信装置向けの音声データを、モバイル・ネットワークとインターネットの間のゲートウェイ・インターフェースを介してＩＰアドレスに経路指定するように命令する。ステップ２２５で、ＭＳＣは、命令されたように、モバイル通信装置向けの音声データを経路指定するように再構成される。
【００２７】
したがって、ステップ２３０で、モバイル装置向けの音声通信などの音声データは、携帯通話であれ、電話通話であれ、ＩＰ通話であれ、無線ネットワークによって割り当てられたＩＰアドレスに経路指定することができる。音声データは、ゲートウェイに、またインターネットを介して、たとえばＶＯＩＰ通話として、無線ネットワークに経路指定される。次いで、音声データは、無線通信リンクを介してモバイル通信装置に転送することができる。このようにして、モバイル通信装置のユーザは、モバイル・ネットワークと無線ネットワークの間でローミングすることができる。
【００２８】
図２の方法について、モバイル・ネットワークから無線ネットワークにローミングするモバイル装置を参照して説明したが、モバイル通信装置が無線ネットワークから別の無線ネットワークにローミングする場合に、類似の技術が使用され得ることを理解されたい。たとえば、モバイル通信装置は、第１の無線ネットワークに通信可能にリンクされ得る。モバイル通信装置は、第１の無線ネットワークのカバレージ・エリアを離れ始め、第２の無線ネットワークのカバレージ・エリアに入り始め得る。モバイル通信装置は、第２の無線ネットワークを検出しさらに、第２の無線ネットワークから、第１の無線ネットワークより強い信号を検出し得る。
【００２９】
したがって、モバイル通信装置は、第２の無線ネットワークに、ＩＰアドレスを要求することができる。受信すると、モバイル通信装置は、モバイル・ネットワーク制御チャネルを介してＭＳＣに、モバイル通信装置向けの音声データを新しいＩＰアドレス、すなわち第２の無線ネットワークから割り当てられたＩＰアドレスに経路指定するように、ＭＳＣに命令するメッセージを送信し得る。
【００３０】
モバイル通信装置が無線ネットワークからモバイル・ネットワークにローミングする場合は、モバイル通信装置は、モバイル・ネットワーク制御チャネルを介してＭＳＣに、１つまたは複数のモバイル音声チャネルを使用して、モバイル通信装置向けの音声データを、その装置に経路指定し始めるようにＭＳＣに命令するメッセージを送信することができる。
【００３１】
本発明は、モバイル通信装置のユーザが、モバイル・ネットワークと８０２．ｘｘ無線ネットワークの間を自由にローミングできるようにする解決策を提供する。本明細書に開示した諸実施形態は、モバイル・ネットワークと無線ネットワークの間の音声とデータの両方の通信をサポートする。したがって、モバイル・ユーザは、本明細書で説明したように、モバイル・ネットワークの近くにいようが、無線ネットワークの近くにいようが、音声とデータの両方のサービスにアクセスし続けることができる。
【００３２】
本発明は、ハードウェア、ソフトウェア、またはハードウェアとソフトウェアの組合せで実現することができる、本発明の態様は、１つのコンピュータ・システム内での集中方式でも、また様々な要素が複数の相互接続されたコンピュータ・システムに渡って分散される分散方式でも実現することができる。本明細書で述べた方法を実施するように適応されたに任意の種類のコンピュータ・システムまたは他の装置が適し得る。ハードウェアとソフトウェアの典型的な組合せは、ロードされ実行されるときに、コンピュータ・システムが本明細書で述べた方法を実施するようにそれを制御するコンピュータ・プログラムを含む、汎用コンピュータ・システムであり得る。
【００３３】
本発明の態様は、本明細書で述べた方法の実施を可能にするすべての特徴を含み、またコンピュータ・システム内にロードされるときに、こうした方法を実施することができるコンピュータ・プログラム製品内に組み込むこともできる。コンピュータ・プログラムは、この文脈では、情報処理能力を有するシステムに、特定の機能を、直接に、あるいはａ）別の言語、コードまたは表記への変換、ｂ）別の材料の形での複製のいずれかまたは両方を行った後で実施させるための、１組の命令の任意の言語、コードまたは表記での任意の表現を意味する。
【００３４】
本発明は、その精神または本質的な属性から逸脱せずに、他の形で実施することができる。したがって、言及は、上記の明細ではなく、本発明の範囲を示す特許請求の範囲に対して行われるべきである。
【図面の簡単な説明】
【００３５】
【図１】本明細書に開示する本発明の構成による、無線ネットワークとモバイル・ネットワークの間のローミングのためのシステムを示す概略図である。
【図２】本明細書に開示する本発明の構成による、無線ネットワークとモバイル・ネットワークの間でローミングする方法を示すフローチャートである。
【符号の説明】
【００３６】
１００  システム
１０５  無線ネットワーク
１１０  アクセス・ポイント
１１５  アクセス・ポイント
１２０  カバレージ・エリア
１２５  モバイル・ネットワーク
１３０  モバイル・データ基地局
１３５  移動交換局
１４０  カバレージ・エリア
１４５  公衆交換電話網
１５０  サービス交換ポイント
１５５  サービス交換ポイント
１６０  信号転送ポイント
１６５  信号転送ポイント
１７０  インターネット
１７５  モバイル通信装置
１８０  ゲートウェイ
２００  方法
【図１】
2005184808.tif 000003
【図２】
2005184808.tif 000004